(57)【要約】【課題】  美容師等が人の髪をハサミで切る際に、誤って自分の指を切ってしまうことを防止可能である指サックを提供すること。【解決手段】  パラ系アラミド繊維からなる糸によって形成された複数のループが相互に連結して編まれている布１２によって、一端が閉塞し、他端が開放している筒状体１１を形成し、この筒状体１１を指サック１０となし、美容師が、この指サック１０を、ハサミを持つ手とは反対側の手２０の人差し指２１と中指２２にはめて使用する。【選択図】  図２
2014200433.tif 000002
【特許請求の範囲】
【請求項１】
少なくとも一端が開放している筒状体を有しており、
前記筒状体は、ＰＡＮ系炭素繊維、パラ系アラミド繊維、超高分子量ポリエチレン繊維、ポリアリレート繊維、ＰＢＯ繊維、高強度ポリエチレン繊維、高強度ＰＶＡ繊維及びポリアセタール繊維のうちのいずれかひとつの繊維からなる糸又は複数の繊維からなる糸によって形成された布によって構成されていることを特徴とする指サック。
【請求項２】
前記筒状体の一端が開放しており、他端が閉塞していることを特徴とする請求項１に記載の指サック。
【請求項３】
前記筒状体を２本有しており、
２本の前記筒状体どうしは、開放した端部側において互いに接続されていることを特徴とする請求項１又は請求項２に記載の指サック。
【請求項４】
前記布において、前記布を形成する糸が、複数のループを形成し、これらのループどうしが相互に連結して編まれていることを特徴とする請求項１から請求項３のうちのいずれかの請求項に記載の指サック。
【発明の詳細な説明】
【技術分野】
【０００１】
本発明は、人の髪をハサミで切る際に使用する指サックに関する。
【背景技術】
【０００２】
以下の説明において、美容師や理容師等の人の髪を切る人のことを美容師等ということとする。
美容師等は、人の髪を切るに際して、一方の手の伸ばした指の間に髪の一部を挟んで固定し、他方の手のハサミを用いてその固定した髪を切ることが多い（例えば、非特許文献１を参照）。
【先行技術文献】
【非特許文献】
【０００３】
【非特許文献１】井上和英、「本物のプロデビューのために  新カットカリキュラム１２カ月」、株式会社髪書房、２００６年６月１６日、ｐ．４５、５３
【発明の概要】
【発明が解決しようとする課題】
【０００４】
美容師等が用いるハサミは、その刃が非常に鋭利である。そして、美容師等が髪を切る際にハサミを動かすスピードは非常に速い。
このため、髪を固定している指を誤ってハサミで切ってしまう危険性が存在する。熟練した美容師や理容師にも、この危険性は存在する。また、美容や理容の技術を学ぶ学生等とって、この危険性はより大きなものとなっている。
【０００５】
本発明は、上記問題を解決するものであり、その目的とするところは、美容師等が人の髪をハサミで切る際に、誤って自分の指を切ってしまうことを防止可能な指サックを提供することである。
【課題を解決するための手段】
【０００６】
本発明は、その課題を解決するために以下のような構成をとる。
請求項１の発明に係る指サックは、少なくとも一端が開放している筒状体を有しており、前記筒状体は、ＰＡＮ系炭素繊維、パラ系アラミド繊維、超高分子量ポリエチレン繊維、ポリアリレート繊維、ＰＢＯ繊維、高強度ポリエチレン繊維、高強度ＰＶＡ繊維及びポリアセタール繊維のうちのいずれかひとつの繊維からなる糸又は複数の繊維からなる糸によって形成された布によって構成されていることを特徴とする。
【０００７】
ＰＡＮ系炭素繊維（ポリアクリロニトリル系炭素繊維）、パラ系アラミド繊維、超高分子量ポリエチレン繊維、ポリアリレート繊維、ＰＢＯ繊維（ポリパラフェニレンベンズオキサゾール繊維）、高強度ポリエチレン繊維、高強度ＰＶＡ繊維（高強度ポリビニールアルコール繊維）及びポリアセタール繊維は、それぞれ、高い引っ張り強度を有する繊維であり、特に高いヤング率を有する繊維である。したがって、これらのうちのいずれかひとつの繊維からなる糸によって形成された布や、これらのうちの複数の繊維からなる糸によって形成された布は、優れた耐切創性を有している。
【０００８】
美容師等は、ハサミを持つ手とは反対側の手の人差し指と中指とに、指サックをはめる。美容師等が誤って指サックをはめた指をハサミで切ろうとしても、指サックをはめた指は、指サックによって守られており、ハサミで指を傷つけるというような事故の発生が防止される。
【０００９】
なお、指サックをはめる手の指は、上述の人差し指と中指とに限られず、他の親指、薬指、小指にはめても良いことは言うまでもない。例えば、５本の指のうち、任意の互いに隣接する２本の指に指サックをはめて使用することが可能である。
【００１０】
請求項２の発明に係る指サックは、請求項１に記載の指サックであって、前記筒状体の一端が開放しており、他端が閉塞していることを特徴とする。
【００１１】
指にはめた指サックの先端は閉塞している。指にはめた指サックの先端が開放している場合には、この開放端にハサミの先端が引っかかりやすくなるが、そのようなことも起こらない。
【００１２】
請求項３の発明に係る指サックは、請求項１又は請求項２に記載の指サックであって、前記筒状体を２本有しており、２本の前記筒状体どうしは、開放した端部側において互いに接続されていることを特徴とする。
【００１３】
美容師等は、指サックを使用するに際して、互いに隣接する２本の手の指に指サックの筒状体をそれぞれはめる。指サックを形成する２本の筒状体が、開放した端部側において互いに接続されて一体化しているので、その取扱いや保管が容易化される。例えば、２本の筒状体のうちの１本の筒状体だけが紛失してしまうようなことが防止される。
【００１４】
請求項４の発明に係る指サックは、請求項１から請求項３のうちのいずれかの請求項に記載の指サックであって、前記布において、前記布を形成する糸が、複数のループを形成し、これらのループどうしが相互に連結して編まれていることを特徴とする。
【００１５】
美容師等が、髪をハサミで切ろうとする場合、人差し指と中指をまっすぐにそろえて伸ばし、伸ばした人差し指と中指との間で髪を固定することが多い。
人の指の形状によっては、人差し指と中指とをそろえて伸ばした際に、人差し指と中指との間に隙間ができてしまう。例えば、指の関節部分が大きく、且つ指に肉があまりついていない人の指において、このような隙間ができやすい。
【００１６】
美容師等が、隙間がある人差し指と中指との間に髪を挟んでも、髪は綺麗にそろって固定されず、髪が指の間で動いてしまう。そして、美容師等は、指の間に挟んだ髪を思い通りに正確に切ることができない。
指サックの布が、複数のループを形成するとともに、これらのループどうしが相互に連結して編まれている糸によって形成されていれば、指サックの布は、加わる圧力によってその厚さを変えることができる。
【００１７】
したがって、美容師等は、伸ばしてそろえた人差し指と中指との間に隙間ができてしまうような場合であっても、人差し指と中指に指サックをはめることによって、人差し指と中指との間にできる隙間をなくすことができる。そして、人差し指と中指との間で髪を綺麗にそろえて固定することができる。
【００１８】
なお、ハサミで切る髪が濡れている状態にあっても、乾いている状態にあっても、人差し指と中指に指サックをはめることによって、誰もが髪を人差し指と中指との間に綺麗にそろえて固定することができる。
また、指サックの布の厚さは、布を形成する糸の太さを変えたり、布を形成する糸の編み方を変えたりすることで、調節可能である。また、そろえて伸ばした人差し指と中指との間にできる隙間が大きな場合には、美容師等は、人差し指や中指に複数枚の指サックを重ねてはめても良い。
【発明の効果】
【００１９】
上記のような指サックであるので、美容師等が人の髪をハサミで切る際に、誤って自分の指を切ってしまうことを防止可能である。
【図面の簡単な説明】
【００２０】
【図１】指サックと、指サックをはめる人差し指と中指の説明図である。
【図２】人差し指と中指とに指サックをはめた状態の説明図である。
【発明を実施するための形態】
【００２１】
本発明の実施の形態を図１及び図２を参照しつつ以下に説明する。
図１に示すように、指サック１０は、筒状体１１によって形成されている。そして、筒状体１１の一端が閉塞し、筒状体１１の他端が開放している。
また、指サック１０の筒状体１１は、パラ系アラミド繊維からなる糸を編んで形成された布１２によって構成されており、耐切創性を有している。そして、布１２において、パラ系アラミド繊維からなる糸は、複数のループを形成し、これらのループどうしが相互に連結して編まれている。
【００２２】
より具体的には、布１２は、パラ系アラミド繊維からなる糸を二重ゴム編みして形成されており、厚さを有している。布１２のこの厚さは、加わる圧力によって変化可能になっている。また、布１２の厚さは、後述する人差し指２１と中指２２との間にできる隙間３０の最大幅の１／２よりも大きな厚さとなっている。
【００２３】
以上が、指サック１０の構成である。次に、この指サック１０の作用効果について説明する。
先ず、指サック１０をはめる美容師の手２０について説明する。
手２０の人差し指２１と中指２２とにおいて、関節部分２３が大きく、肉があまりついていない。
【００２４】
図１に示すように、人差し指２１と中指２２とを互いにくっつけてそろえて一緒に伸ばすと、人差し指２１と中指２２の指先側の関節部分２３どうしが互いにくっつくともに、人差し指２１と中指２２の掌側の関節部分２３どうしも互いにくっつく。そして、これら以外の部分は互いにくっつかず、人差し指２１と中指２２との間に隙間３０ができてしまう。
【００２５】
図２に示すように、美容師は、指サック１０を人差し指２１にはめることによって、人差し指２１の先端部から根元部までを指サック１０で覆う。同様に、美容師は、指サック１０を中指２２にはめることによって、中指２２の先端部から根元部までを指サック１０で覆う。
【００２６】
美容師が、指サック１０をはめた人差し指２１と中指２２とをくっつけてそろえて一緒に伸ばす。指サック１０の布１２は、人差し指２１と中指２２の指先側の関節部分２３どうしの間において押圧され潰れて薄くなる。同様に、指サック１０の布１２は、人差し指２１と中指２２の掌側の関節部分２３どうしの間においても押圧され潰れて薄くなる。指サック１０の布１２は、これら以外の部分では、ほとんど潰れず、ほとんど薄くならない。この結果、隙間３０は、指サック１０の布１２によって塞がれてしまう。
【００２７】
したがって、美容師は、指サック１０をはめた人差し指２１と中指２２とをくっつけてそろえて一緒に伸ばすことによって、髪を人差し指２１と中指２２との間に挟んでしっかりと固定することができる。そして、美容師は、人差し指２１と中指２２との間に挟んだ髪を思い通りに正確にハサミで切ることができる。
【００２８】
なお、髪は、濡れている状態となっていても、乾いている状態となっていても、人差し指と中指に指サックをはめることによって、美容師は、髪を人差し指と中指との間に綺麗にそろえて固定することができる。
また、美容師が、人差し指２１と中指２２との間に挟んだ髪をハサミで切る際、人差し指２１と中指２２は、耐切創性を有する指サック１０で覆われている。したがって、美容師が誤ってハサミで人差し指２１と中指２２を切ってしまうことが防止されている。
【００２９】
さらに、人差し指２１と中指２２にはめた指サック１０は、人差し指２１と中指２２の各先端部分で閉塞した状態となっているので、ハサミの先端が指サック１０に引っかかったりすることもない。
なお、本実施の形態において、美容師は、指サック１０を人差し指２１と中指２２にそれぞれ１枚の指サック１０をはめている。これに代えて、美容師は、隙間３０の大きさに応じて、複数枚の指サック１０を人差し指２１と中指２２にそれぞれ重ねてはめることも可能である。
【００３０】
また、本実施の形態において、布１２は、パラ系アラミド繊維からなる糸を二重ゴム編みして形成されている。これに代えて、布１２は、パラ系アラミド繊維からなる糸を他の編み方にして形成しても良い。ただし、パラ系アラミド繊維からなる糸の編み方は、布１２が充分な厚みを有して嵩高になる編み方であることが好ましい。美容師は、かかる編み方の布１２を用いた指サック１０を使うことによって、隙間３０ができてしまうような人差し指２１と中指２２であっても、髪をしっかりと固定することができる。
【００３１】
さらに、本実施の形態において、指サック１０は、１本に筒状体１１によって形成されていることとした。これに代えて、指サック１０が、２本に筒状体１１によって形成されていても良い。この場合、２本に筒状体１１の開放している端部どうしを互いに接続することができる。かかる構成とすることで、指サック１０の取扱いや保管が容易化される。例えば、２本の筒状体のうちの１本の筒状体だけが紛失してしまうようなことが防止される。
【産業上の利用可能性】
【００３２】
上記のような指サックであるので、美容院や理容院、美容や理容の技術を学ぶ施設等において有用である。
【符号の説明】
【００３３】
１０    指サック
１１    筒状体
１２    布
２０    美容師の手
２１    人差し指
２２    中指
２３    関節部分
３０    人差し指と中指の間にできる隙間
【図１】
2014200433.tif 000003
【図２】
2014200433.tif 000004